(57)【要約】【課題】既設のフロン冷媒を用いた自動販売機において、自然系冷媒を使用した冷却ユニットへの移行を容易且つ低コストに実現させる自動販売機を提供する。【解決手段】メンテナンス時に、既存の冷却ユニットに替えて異なる寸法の自然系冷媒を使用した冷却ユニット２３に置き換え可能にできるように機械室４８にユニット取付部材６０を用いたことにより、既存設置されている自動販売機における省エネルギー化、ならびに、環境負荷の低減が実現できる。【選択図】図１
2012226567.tif 000002
【特許請求の範囲】
【請求項１】
前面を開口した自動販売機本体と、前記自動販売機本体内に設けられた商品収納庫と、前記自動販売機本体内に設けられた機械室と、前記商品収納庫内を冷却、加温する庫内熱交換器と、前記商品収納庫内を冷却する蒸発器と、前記蒸発器の近傍に前記商品収納庫内へ空気を循環させるダクトと、フロン冷媒用の冷却ユニットを前記機械室内に備えた自動販売機において、メンテナンス時に、前記冷却ユニットに替えて異なる寸法の冷却ユニットに置き換え可能にできるように前記機械室にユニット取付部材を用いたことを特徴とする自動販売機。
【請求項２】
前記機械室にさらに蒸発皿取付部材を用い、前記ユニット取付部材と、前記蒸発皿取付部材とで、置き換える冷却ユニットを挟み込むように設置したことを特徴とする請求項１に記載の自動販売機。
【請求項３】
商品収納庫内のダクトと置き換える冷却ユニットの蒸発器との間に蒸発器取付部材を用いたことを特徴とする請求項１または２に記載の自動販売機。
【発明の詳細な説明】
【技術分野】
【０００１】
本発明は缶・びん入り飲料商品などの商品を冷却もしくは加温して販売する自動販売機に関するものである。
【背景技術】
【０００２】
従来、この種の自動販売機としては、前面を開口した自動販売機本体と、自動販売機本体内に設けられた商品収納庫と、自動販売機本体内に設けられた機械室と、商品収納庫内を冷却する冷却機器とを備え、一部の冷却機器を商品収納庫内に配置するとともに、他の冷却機器を有する冷却ユニットを機械室内に配置したものが知られている。従来の自動販売機では、冷却機器の冷媒としてフロン冷媒が用いられているが、フロン冷媒の使用規制により、ＨＣ（ハイドロカーボン）等の自然系冷媒の使用が望まれている。しかしながら、フロン冷媒を用いた冷却機器とＨＣ等の自然系冷媒を用いた冷却機器では機器の構成や仕様が異なるため、フロン冷媒用の冷却機器をＨＣ等の自然系冷媒用に使用することができず、自動販売機自体を交換しなければＨＣ等の自然系冷媒を使用した自動販売機への移行を実現することができなかった。そこで、前記問題点を解消すべく、フロン冷媒を使用した自動販売機から自然系冷媒を使用した自動販売機への移行を容易且つ低コストに実現することのできる自動販売機が提案されている。（例えば、特許文献１参照）
以下、図面を参照しながら、上記従来の自動販売機について説明する。
【０００３】
図７は特許文献１に記載された従来の自動販売機の斜視図である。図７に示すように自動販売機本体１と自動販売機本体１内に設けられた商品収納庫２と自動販売機本体１内の商品収納庫２と断熱材等で仕切られた機械室３と、商品収納庫２内を冷却するための冷却器４を商品収納庫２内に配置し、商品収納庫２と機械室３の間に、商品収納庫２の底面を形成する底面部材５、他の冷却機器を有する冷却ユニット６を機械室３内に設け、底面部材の前端に商品収納庫内の冷却機器と機械室側の冷却機器との間の冷媒配管を挿通するための切り欠き部９を分離可能にし、機械室３の底面板１０にドレンパン１１の固定部を複数個所に設けた構造になっている。
【０００４】
上記構成において、フロン冷媒用の既設の冷却ユニットを二酸化炭素冷媒用の新たな冷却ユニットに交換する際には、底面部材５の切り欠き部９を分離し、新しく設置する冷却ユニット６の冷媒配管に合わせた位置に形成し、ドレンパン１１の固定に関しては、新しく設置するドレンパン１１の形状に合わせた固定部を利用することで、冷却ユニット６の交換を容易にしている。
【先行技術文献】
【特許文献】
【０００５】
【特許文献１】特開２００７−２４９５３７号公報
【発明の概要】
【発明が解決しようとする課題】
【０００６】
しかしながら、上記従来の構成では、製品組立時に既に部材の対応をしている必要があり、既存設置されている自動販売機に対しては無効である。また、ＨＣ（ハイドロカーボン）等の自然系冷媒として、可燃性冷媒であるイソブタンやプロパンを採用した冷却ユニットを新しく設置する場合、新しく設置される冷却ユニットは、少冷媒化が望まれるため、新しく設置される冷却ユニットは既設の冷却ユニットに対し、構成部品が大幅に変化するため、庫内構成部品も、変更する必要があるため、上記従来例の構成では、対応出来ないケースの方が多くなるという課題を有していた。
【０００７】
本発明は、上記従来の課題を解決するもので、既存設置されている自動販売機においても、フロン冷媒を使用した冷却ユニットからＨＣ（ハイドロカーボン）等の自然系冷媒を使用した冷却ユニットへの移行を容易にする自動販売機を提供することを目的とする。
【課題を解決するための手段】
【０００８】
上記従来の課題を解決するために、本発明の自動販売機は、前面を開口した自動販売機本体と、前記自動販売機本体内に設けられた商品収納庫と、前記自動販売機本体内に設けられた機械室と、前記商品収納庫内を冷却、加温する庫内熱交換器と、前記商品収納庫内を冷却する蒸発器と、前記蒸発器の近傍に前記商品収納庫内へ空気を循環させるダクトと、フロン冷媒用の冷却ユニットを前記機械室内に備えた自動販売機において、メンテナンス時に、前記冷却ユニットに替えて異なる寸法の冷却ユニットに置き換え可能にできるように前記機械室にユニット取付部材を用いたものである。
【０００９】
これによって、メンテナンス時に既存冷却ユニットに替えて異なる寸法の冷却ユニットに置き換える際の新しく設置される冷却ユニットの位置固定も容易にできるため、フロン冷媒用の既設の冷却ユニットをＨＣ等の自然系冷媒を使用した新しく設置される冷却ユニットに容易且つ低コストに交換することができる。
【発明の効果】
【００１０】
本発明の自動販売機は、既設のフロン冷媒用の冷却ユニット以外の構成部分を再利用することができるので、既存設置されている自動販売機のノンフロン化、ならびにヒートポンプ化が容易且つ低コストに実現できるため、既存設置されている自動販売機における省エネルギー化、ならびに、環境負荷の低減が実現できる。
【図面の簡単な説明】
【００１１】
【図１】冷却ユニットが設置された自動販売機の部分斜視図
【図２】既設の冷却ユニットが設置された自動販売機の部分斜視図
【図３】本発明の実施の形態１におけるユニット交換後の自動販売機の正面図
【図４】本発明の実施の形態１におけるユニット交換後の自動販売機の縦断面図
【図５】本発明の実施の形態１におけるユニット挿入前の機械室の平面図
【図６】本発明の実施の形態１におけるユニット挿入後の機械室の平面図
【図７】従来の自動販売機の斜視図
【発明を実施するための形態】
【００１２】
請求項１に記載の発明は、前面を開口した自動販売機本体と、前記自動販売機本体内に設けられた商品収納庫と、前記自動販売機本体内に設けられた機械室と、前記商品収納庫内を冷却、加温する庫内熱交換器と、前記商品収納庫内を冷却する蒸発器と、前記蒸発器の近傍に前記商品収納庫内へ空気を循環させるダクトと、フロン冷媒用の冷却ユニットを前記機械室内に備えた自動販売機において、メンテナンス時に、前記冷却ユニットに替えて異なる寸法の冷却ユニットに置き換え可能にできるように前記機械室にユニット取付部材を用いたことにより、メンテナンス時に既存冷却ユニットに替えて異なる寸法の冷却ユニットに置き換える際の新しく設置される冷却ユニットの位置固定も容易にできるため、フロン冷媒用の既設の冷却ユニットをＨＣ等の自然系冷媒を使用した新しく設置される冷却ユニットに容易且つ低コストに交換することができる。
【００１３】
請求項２に記載の発明は、請求項１に記載の発明において、前記機械室にさらに蒸発皿取付部材を用い、前記ユニット取付部材と、前記蒸発皿取付部材とで、置き換える冷却ユニットを挟み込むように設置したことにより、ＨＣ等の自然系冷媒を使用した新しく設置される冷却ユニットの位置固定をさらに容易にすることができる。
【００１４】
請求項３に記載の発明は、請求項１または２に記載の発明において、商品収納庫内のダクトと置き換える冷却ユニットの蒸発器との間に蒸発器取付部材を用いたことにより、前記ＨＣ用蒸発器の形状が変化した場合においても、前記ＨＣ用蒸発器の位置固定を容易にできるため、ＨＣ等の自然系冷媒を使用した新しく設置される冷却ユニットの位置固定をさらに容易にすることができる。
【００１５】
以下、本発明の実施の形態について、図面を参照しながら説明するが、従来例または先に説明した実施の形態と同一構成については同一符号を付して、その詳細な説明は省略する。なお、この実施の形態によってこの発明が限定されるものではない。
【００１６】
（実施の形態１）
図１は、本実施の形態１における自動販売機の新たな冷却ユニットを配置する状態の部分斜視図、図２は同実施の形態における自動販売機の既存の冷却ユニットを取出した状態の部分斜視図である。
【００１７】
本実施の形態の自動販売機は、図２に示すように自動販売機本体２１からフロン冷媒用の既設の冷却ユニット２２を取出し、図１に示すようにＨＣ（ハイドロカーボン）等の自然系冷媒を使用した新しく設置される冷却ユニット２３に交換するものである。
【００１８】
図３は、本発明の実施の形態１における自動販売機の冷却ユニット交換後の概略正面図、図４は本発明の実施の形態１における自動販売機の冷却ユニット交換後の概略縦断面図、図５は本発明の実施の形態１における自動販売機の冷却ユニット挿入前の機械室の平面図、図６は本発明の実施の形態１における自動販売機の冷却ユニット挿入後の機械室の平面図である。
【００１９】
図３から図６において、自動販売機本体２１は缶飲料商品を冷却あるいは加温販売するものであり、前面に開口した断熱箱体からなる本体２４と、この本体２４に一側を回動自在に枢支された開閉自在の前面扉２５とから構成されている。前面扉２５の下部には販売口２６が配置されている。
【００２０】
この前面扉２５の後方には、前面に断熱扉（図示しない）を有する商品収納庫２７が本体２４内に形成されている。この商品収納庫２７内は図３のように、内部に断熱材が充填された区画壁２８と２９により左右３室に区画されており、区画壁２８の左側に冷却庫３０が形成され、区画壁２８と区画壁２９間に位置した中央に冷却と加温のいずれかを選択して切り替え可能な冷却加温庫３１が形成され、区画壁２９の右側にも冷却と加温のいずれかを選択して切り替え可能な冷却加温庫３２が形成されている。
【００２１】
また、それぞれ室内には収納棚３３が商品収納庫２７の上部に吊下げられており、商品３４が内部に収納されている。そして収納棚３３の下部には選択された商品を搬出する搬出装置３５が配置され、１個ずつ商品３４を下方に落下させる。搬出装置３５の下方には販売口２６に向かって傾斜したシュート３６が配置されており、各収納棚３３から排出された商品３４は、このシュート３６上に落下し、転動して販売口２６に導かれるものである。
【００２２】
シュート３６の下側には冷却庫３０、冷却加温庫３１、３２にそれぞれ対応して冷却室３７、冷却加温室３８、３９が備えられている。冷却室３７内にはＨＣ（ハイドロカーボン）等の自然系冷媒として、可燃性冷媒であるイソブタンやプロパンを採用すべく、少冷媒化を図るためにフロン冷媒用に対して、小型化されたＨＣ用蒸発器４０、冷却加温室３８内には蒸発器４１、加温時に通電して加温室とする電気ヒータ４２を備えている。また
冷却加温室３９内には庫内熱交換器４３と、加温時に庫内熱交換器４３の補助として通電可能な補助電気ヒータ４４を備えている。そして、ＨＣ用蒸発器４０、蒸発器４１と庫内熱交換器４３の近傍には、商品収納庫２７内へ空気を循環させるダクト４５が設けてある。各室にはそれぞれ庫内ファン（図示しない）があり、強制送風してダクト４５より吸い込まれた庫内空気を強制的に循環させ、各室それぞれに備えた庫内センサー（図示しない）によって庫内を適温に制御する。
【００２３】
この時、冷却室３７において、ＨＣ用蒸発器４０とダクト４５の間にはＨＣ用蒸発器取付部材４６を設け、奥行き方向における庫内空気の風路が構成されている。本体２４の下方には、商品収納庫２７の底面を形成する底面部材４７によって区画された機械室４８を形成している。自然系冷媒を使用した新しく設置される冷却ユニット２３は商品収納庫２７内に配置されるＨＣ用蒸発器４０、蒸発器４１と庫内熱交換器４３と、機械室４８内に配置されるＨＣ（ハイドロカーボン）等の自然系冷媒を用いた他の冷却機器によって、構成されている。機械室４８に配置される他の冷却機器は庫内熱交換器４３と環状に接続される第１圧縮機５０と第１熱交換器５１と冷媒の流路を切替える流路切替弁などで構成された冷却加温サイクル、またＨＣ用蒸発器４０、蒸発器４３と環状に接続される第２圧縮機５３と凝縮器５４とＨＣ用蒸発器４０、蒸発器４３への冷媒の流路を切替える三方弁などがユニットベース５５上に構成された冷却サイクルとなっている。また冷却庫３０、冷却加温庫３１、３２で発生した除霜水を回収して溜める蒸発皿５６が、機械室４８内の自然系冷媒を使用した新しく設置される冷却ユニット２３の側部に蒸発皿取付部材５７により、配置されるよう構成されている。
【００２４】
以上のように構成された自動販売機について、以下その動作、作用を説明する。
【００２５】
まず、既設の自動販売機本体２１よりユニットを交換する際に、既設の冷却ユニット２２を自動販売機本体２１の外部に取出す。次に、冷却庫３０内の既設の冷却ユニット２２のフロン冷媒用蒸発器５８に対し、自然系冷媒を使用した新しく設置される冷却ユニット２３の冷却庫３０内に設置するＨＣ用蒸発器４０は、小型化されているため、従来設置されているダクト４５の開口部５９を自然系冷媒を使用した新しく設置される冷却ユニット２３用の小型のＨＣ用蒸発器４０の大きさに合わすべく、ＨＣ用蒸発器取付部材４６をダクト４５の開口部５９を覆うように設置することで、ＨＣ用蒸発器４０の位置決めを容易にするとともに、冷却庫３０内の風路を形成することができる。
【００２６】
また、機械室４８においては、蒸発皿取付部材５７はユニットベース５５側面に密接する形で機械室４８のベース上にビス止め等で固定されており、ユニット取付部材６０も、蒸発皿取付部材５７と逆方向のユニットベース５５側面に密接する様に、機械室４８のベース上にビス止め等で固定する。これにより、ユニット取付部材６０と蒸発皿取付部材５７の間にユニットベースを挿入するスペース６１を形成する。ユニットベース５５を挿入するスペース６１が形成されることで、自然系冷媒を使用した新しく設置される冷却ユニット２３を挿入する際、自然系冷媒を使用した新しく設置される冷却ユニット２３の位置決めを容易にすることが出来る。
【００２７】
その上で、自然系冷媒を使用した新しく設置される冷却ユニット２３と蒸発皿５６を自動販売機本体２１に設置する。これにより、既設の冷却ユニット２２をユニット取付部材６０、蒸発皿取付部材５７、ＨＣ用蒸発器取付部材４６を用いるだけで、容易にＨＣ（ハイドロカーボン）等の自然系冷媒を使用した新しく設置される冷却ユニット２３に交換するようにしたので、既設の冷却機器以外の構成部品を再利用することができ、ＨＣ（ハイドロカーボン）等の自然系冷媒を使用し、ヒートポンプ化した自動販売機への移行を容易且つ低コストに実現することができる。
【産業上の利用可能性】
【００２８】
以上のように本発明にかかる自動販売機は、既設の自動販売機のノンフロン化とヒートポンプ化を容易且つ低コストに実現できるため、カップ自動販売機にも適用できる。
【符号の説明】
【００２９】
２１  自動販売機本体
２３  冷却ユニット
３０  冷却庫
４０  ＨＣ用蒸発器
４５  ダクト
４６  ＨＣ用蒸発器取付部材
４８  機械室
５６  蒸発皿
５７  蒸発皿取付部材
６０  ユニット取付部材
【図１】
2012226567.tif 000003
【図２】
2012226567.tif 000004
【図３】
2012226567.tif 000005
【図６】
2012226567.tif 000006
【図４】
2012226567.tif 000007
【図５】
2012226567.tif 000008
【図７】
2012226567.tif 000009